(57)【要約】      （修正有）【課題】簡単且つ迅速に清掃素子を着脱することができ、且つ、異なる床板の種類に対応して清掃装置を容易に交換できるようなモップを提供する。【解決手段】モップは、モップ操作手段１と、モップ操作手段１に着脱可能な第１清掃装置５０とによって構成されている。モップ操作手段１の下端には、フレームブラット２０介して遥動可能な２つの座板４０が取り付けられている。また、第１清掃装置５０における板体５１の裏面には清掃素子５４が取り付けられ、板体５１の表面には複数の係合素子５２及びフック５３が、板体５１の幅方向に対を成して形成されている。対を成した２つのフック５３の間隔は、２つの座板４０の側辺４４の幅より若干狭い。従って、対を成した係合素子５２を２つの座板４０の側辺４４に係合させることにより、第１清掃装置５０を座板４０の底面に着脱自在に固定する。【選択図】図１
0003160495.tif 000002
【実用新案登録請求の範囲】
【請求項１】
必要に応じて清掃裝置を任意に交換することが可能なモップであって、
把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段１と、
板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、
前記フック５３が前記２つの座板４０の辺縁に嵌合して、前記板体５１を前記２つの座板４０の底面に定位させることで、前記２つの座板４０の底面に前記第１清掃裝置５０が交換可能に取り付けられることを特徴とする清掃装置の交換可能なモップ。
【請求項２】
必要に応じて清掃裝置を任意に交換することが可能なモップであって、
把持棒１０と、該把持棒１０の底端に設置されたフレームブラケット２０と、複数の組立孔４２を有して左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０と、によって構成されたモップ操作手段１と、
定位板７１と、該定位板７１の底面に付設された清掃コロジオン７３と、該定位板７１の表面に設けられた複数の係合素子７２と、によって構成された第２清掃装置７０とを備え、
前記係合素子７２が前記２つの座板４０の前記組立孔４２に係合して、前記定位板７１を前記２つの座板４０の底面に定位させることで、前記２つの座板４０の底面に前記第２清掃裝置７０が交換可能に取り付けられることを特徴とする清掃装置の交換可能なモップ。
【請求項３】
上記２つの接続部材３０Ａは、第１接続ピース３１Ａと第２接続ピース３２Ａとを具備し、前記第１接続ピース３１Ａの頂端はフレームブラケット２０Ａの底部に接続され、前記第１接続ピース３１Ａの底端は前記第２接続ピース３２Ａと接続され、且つ、前記第２接続ピース３２Ａの底端は上記２つの座板４０Ａの表面に接続され、前記第２接続ピース３２Ａの頂端は前記第１接続ピース３１Ａに接続され、
さらに、ピン軸３３Ａが、前記第１接続ピース３１Ａと前記第２接続ピース３２Ａのそれぞれの接続箇所に設けられ、且つ、該第１接続ピース３１Ａと該第２接続ピース３２Ａが前記ピン軸３３Ａを中心として一括して接続され、さらに、前記ピン軸３３Ａは前記２つの座板４０Ａの配列方行と平行して配列されており、
上記第１清掃装置５０又は上記第２清掃装置７０は、前記第１接続ピース３１Ａ及び前記第２接続ピース３２Ａの作用により、前記ピン軸３３Ａを中心として旋回角度を可変し、前記２つの座板４０Ａとともに、該ピン軸３３Ａを中心として前記フレームブラケット２０Ａとの相対挾み角を可変することを特徴とする請求項１又は２記載の清掃裝置の交換可能なモップ。
【請求項４】
上記２つの座板４０は、上記複数の係合素子５２のそれぞれと対応する位置に複数の保持孔４３を設け、該複数の保持孔４３は上記複数の係合素子５２のフック５３に嵌合することを特徴とする請求項１、２又は３記載の清掃裝置の交換可能なモップ。
【請求項５】
上記２つの座板４０は、それぞれ、互いに平行する側辺４４を有し、上記清掃裝置５０の複数の係合素子５２は、各２個の係合素子５２が互いに対を成して対称的に前記側辺４４に沿って配列されることで、上記２つの座板４０は上記板体５１の表面に設置され、且つ、対を成す各係合素子５２のフック５３の間隔は、側辺４４の頂縁位置に嵌合できる程度に該側辺４４の幅より小さくなっていることで、上記板体５１を上記２つの座板４０の下面に定位できることを特徴とする請求項４記載の清掃裝置の交換可能なモップ。
【請求項６】
上記各係合素子５２は、それぞれ、弾性を有するプラスチックス材料で形成され、且つ、上記各フック５３の頂部は、それぞれ、上記板体５１の中央方向に向くと共に下向きに傾斜した傾斜部５６を有し、上記複数の係合素子５２と上記２つの座板４０の各側辺４４が嵌合したとき、該側辺４４の底縁が上記各係合素子５２の前記傾斜部５６を押圧し、且つ上記複数の係合素子５２のフック５３は、上記側辺４４と前記傾斜部５６が互いに押し合う推力による湾曲によって、上記２つの座板４０の側辺４４の頂縁へ嵌入されることを特徴とする請求項５記載の清掃裝置の交換可能なモップ。
【請求項７】
上記第１清掃裝置５０の清掃素子５４は、軟性纖維の材質又は布地によって作成され、上記板体５１の嵌合部５５に嵌め込まれて固定されることで、上記清掃素子５４を上記板体５１の底面に装着することを特徴とする請求項１、３、４、５又は６記載の清掃裝置の交換可能なモップ。
【請求項８】
上記第２清掃裝置７０は、定位板７１と、該定位板７１の下面に設置された清掃コロジオン７３と、前記定位板７１の表面に設置された複数の係合素子７２とを備え
上記２つの座板４０は、前記複数の係合素子７２と対応する位置に複数の組立孔４２を備え、
前記複数の係合素子７２が、それぞれ、前記複数の組立孔４２に係合することにより、上記第２清掃裝置７０の前記定位板７１が、上記２つの座板４０の下面に組み立てられることを特徴とする請求項２記載の清掃裝置の交換可能なモップ。
【請求項９】
上記複数の係合素子７２は、略Ｌ形のフック形体を呈し、且つ、上記２つの座板４０に形成された複数の組立孔４２は、上記複数の係合素子７２に挿入可能な孔が形成され、
上記複数の係合素子７２が、それぞれ、前記複数の組立孔４２に挿入されて孔縁に嵌合されることにより、上記第２清掃装置７０の上記定位板７１が上記２つの座板４０の下面に組み立てられることを特徴とする請求項８記載の清掃裝置の交換可能なモップ。
【請求項１０】
上記第２清掃裝置７０Ｂは、定位板７１Ｂ、該定位板７１Ｂの下面に設置される清掃コロジオン７３Ｂ、及び、前記定位板７１Ｂの表面に設置される第２粘着ピース７５Ｂを備え、且つ、上記２つの座板４０Ｂの底面には第１粘着ピース４５Ｂが設置され、
前記第１粘着ピース４５Ｂと前記第２粘着ピース７２Ｂが互に貼り合わされて結合されることにより、上記第２清掃裝置７０Ｂの前記定位板７１Ｂが上記２つの座板４０Ｂの底面に定位されることを特徴とする請求項２記載の清掃裝置の交換可能なモップ。
【考案の詳細な説明】
【技術分野】
【０００１】
本考案は、清掃装置の交換可能なモップに関するものであり、特に、水絞り式のコロジオンモップに合わせて使用する清掃素子を着脱できる清掃装置の交換可能なモップに関するものである。
【背景技術】
【０００２】
日常生活において、モップは室内の床板等を清掃するための主要な清掃道具であり、該モップを使用して清掃を行う場合は、床拭き時において、雑巾がけのように、腰を折り曲げたり、うずくまったりする必要がないので、床拭き時の使い勝手が極めてよい。従来のモップの一般的な構造は、ユーザがモップを操作するための把持棒を備えていて、該把持棒の先端部に布地や綿などの清掃素子が取り付けられたシンプルなものである。床拭き時においては、布地や綿などの清掃素子に水を吸水させた後、把持棒によって清掃素子を床面に押し付け、該清掃素子の付着力によって床板の塵埃を拭き取る。但し、この種のモップには水絞り装置が取り付けられていないため、床拭き後の清掃素子を手や足の力で絞って乾かさなければならないので、モップの使い勝手があまりよくない。
【０００３】
そこで、市場には、いわゆる快速モップというものが出回ってきた。この快速モップは、吸水性を有するコロジオンを利用した清掃素子を用いている。すなわち、快速モップで使用される清掃素子は細長い長條状のコロジオンを用いているため、床拭きに使用した後は、簡単な洗浄で清掃素子に付着した塵埃等を洗い流すことができるので、前述の従来のモップと比べて使い勝手がよくなっている。
【０００４】
この種の快速モップの水絞り機構は、床拭き後に連接装置を利用して清掃素子を引っ張り、２個の細長い水絞りロールの隙間を通過させて清掃素子に絞り圧を加えることにより、該清掃素子に吸収された水分を絞り取って乾かすように構成されている。但し、水絞り操作時には、連接捧を力一杯引き動かすことによって清掃素子を引き出して水絞りロールの狹い隙間を通過させる。そのため、水絞り操作を行うときには大きな引っ張り力を加えなければならない。さらに、清掃素子の取り付け機構が複雑であるため、清掃に使用した後の清掃素子を交換する作業が容易ではないなど、使用上の使い勝手がよくない。
【０００５】
このような不具合を解消するために、本考案者によって、『水絞りモップ』が先に提案されている（特許文献１参照）。この『水絞りモップ』の主要な構造は、モップ把持棒の底部に、２個の機構要素が相対的に動くことによって清掃素子を強く挟み込む作用を行う水絞り板を設置すると共に、その水絞り板の下方に１個の長條状のコロジオン清掃素子を設置している。そして、モップ把持棒の上に設けた連接棒によって水絞り板を駆動させることにより、その水絞り板に清掃素子を強く挟み込む動作が作用して、該清掃素子に吸収された水分を絞りとることができる。
【０００６】
すなわち、この種の水絞りモップの水絞り方式は、水絞り板の強い挟み込み力によって清掃素子の水分を絞り取って乾かすことができる。従って、この水絞りモップは、従来の快速モップと比べて水絞り機構が省力化されているので、使い勝手が極めてよい。しかしながら、この種の水絞り方式のコロジオンモップを使用したときの清掃素子は、長條状のコロジオン材料から作成されているため、使用時には、その清掃素子と地面で接触する部位は狹く細長い長條状を呈する。
【０００７】
従って、この種のコロジオン式清掃素子は良好な清掃效果を得ることができるが、清掃素子の面積が比較的小さいために、大面積の床板に使用するのには適さない。また、一般の家庭における床板は、煉瓦、木板、プラスチック板、セメント、石材など、非常に多くの種類が存在している。このように床板の材質が異なる場合は、それぞれの材質の床板の特性に適合したモップを使用して清掃を行うことが望ましい。しかしながら、この種のコロジオン式モップの清掃素子は、最初に清掃装置に取り付けたときに採用したコロジオンの材質に固定されてしまうので、各種の材質の床板に用いる場合は特性が適合しないことがある。そのため、コロジオン式清掃素子を用いて床板の清掃を行う場合は床板の種類や用途が制限されてしまう。
【先行技術文献】
【特許文献】
【０００８】
【特許文献１】特許第３０９７３３４号公報
【考案の概要】
【考案が解決しようとする課題】
【０００９】
そこで、簡単且つ迅速に清掃素子を着脱することができ、且つ、異なる床板の種類に対応して清掃装置を容易に交換できるようなモップを実現するために解決すべき技術的課題が生じてくるのであり、本考案はこの課題を解決することを目的とする。
【課題を解決するための手段】
【００１０】
本考案は上記目的を達成するために提案されたものであり、請求項１記載の考案は、必要に応じて清掃裝置を任意に交換することが可能なモップであって、把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段１と、板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、前記フック５３が前記２つの座板４０の辺縁に嵌合して、前記板体５１を前記２つの座板４０の底面に定位させることで、前記２つの座板４０の底面に前記第１清掃裝置５０が交換可能に取り付けられることを特徴とする清掃装置の交換可能なモップを提供する。
【００１１】
この構成によれば、第１清掃装置５０の板体５１の表面に形成された複数の係合素子５２のフック５３が、モップ操作手段１の下部に取り付けられた２つの座板４０の辺縁に嵌合して、板体５１を２つの座板４０の底面に定位させることにより、２つの座板４０の底面に対して、第１清掃裝置５０を交換可能に取り付けることができる。
【００１２】
請求項２記載の考案は、必要に応じて清掃裝置を任意に交換することが可能なモップであって、把持棒１０と、該把持棒１０の底端に設置されたフレームブラケット２０と、複数の組立孔４２を有して左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０と、によって構成されたモップ操作手段１と、定位板７１と、該定位板７１の底面に付設された清掃コロジオン７３と、該定位板７１の表面に設けられた複数の係合素子７２と、によって構成された第２清掃装置７０とを備え、前記係合素子７２が前記２つの座板４０の組立孔４２に係合して、前記定位板７１を前記２つの座板４０の底面に定位させることで、前記２つの座板４０の底面に前記第２清掃裝置７０が交換可能に取り付けられることを特徴とする清掃装置の交換可能なモップを提供する。
【００１３】
この構成によれば、第２清掃装置７０の定位板７１の表面に形成された複数の係合素子７２が、モップ操作手段１の下部に取り付けられた２つの座板４０に形成された組立孔４２に係合して、定位板７１を２つの座板４０の底面に定位させることにより、２つの座板４０の底面に対して、第２清掃裝置７０を交換可能に取り付けることができる。
【００１４】
請求項３記載の考案は、上記２つの接続部材３０Ａは、第１接続ピース３１Ａと第２接続ピース３２Ａとを具備し、前記第１接続ピース３１Ａの頂端はフレームブラケット２０Ａの底部に接続され、前記第１接続ピース３１Ａの底端は前記第２接続ピース３２Ａと接続され、且つ、前記第２接続ピース３２Ａの底端は上記２つの座板４０Ａの表面に接続され、前記第２接続ピース３２Ａの頂端は前記第１接続ピース３１Ａに接続され、さらに、ピン軸３３Ａが、前記第１接続ピース３１Ａと前記第２接続ピース３２Ａのそれぞれの接続箇所に設けられ、且つ、該第１接続ピース３１Ａと該第２接続ピース３２Ａが前記ピン軸３３Ａを中心として一括して接続され、さらに、前記ピン軸３３Ａは前記２つの座板４０Ａの配列方行と平行して配列されており、上記第１清掃装置５０又は上記第２清掃装置７０は、前記第１接続ピース３１Ａ及び前記第２接続ピース３２Ａの作用により、前記ピン軸３３Ａを中心として旋回角度を可変し、前記２つの座板４０Ａとともに、該ピン軸３３Ａを中心として前記フレームブラケット２０Ａとの相対挾み角を可変することを特徴とする請求項１又は２記載の清掃裝置の交換可能なモップを提供する。
【００１５】
この構成によれば、第１清掃装置５０又は第２清掃装置７０は、第１接続ピース３１Ａ及び第２接続ピース３２Ａの作用によって、ピン軸３３Ａを中心として旋回角度を可変できるように構成されている。従って、第１清掃装置５０又は第２清掃装置７０は、２つの座板４０Ａとともに、ピン軸３３Ａを中心として前記フレームブラケット２０Ａとの相対挾み角を可変することができる。これによって、清掃素子５４又は清掃コロジオン７３を常に床面に密着させながら清掃作業を行うことが可能となるので、清掃効果が一段と向上する。
【００１６】
請求項４記載の考案は、上記２つの座板４０は、上記複数の係合素子５２のそれぞれと対応する位置に複数の保持孔４３を設け、該複数の保持孔４３は上記複数の係合素子５２のフック５３に嵌合することを特徴とする請求項１、２又は３記載の清掃裝置の交換可能なモップを提供する。
【００１７】
この構成によれば、２つの座板４０には、複数の係合素子５２のそれぞれと対応する位置に複数の保持孔４３が設けられている。従って、第１清掃装置５０の係合素子５２を２つの座板４０の保持孔４３に係合させることにより、第１清掃装置５０をより安定的に２つの座板４０に固定することができる。
【００１８】
請求項５記載の考案は、上記２つの座板４０は、それぞれ、互いに平行する側辺４４を有し、上記清掃裝置５０の複数の係合素子５２は、各２個の係合素子５２が互いに対を成して対称的に前記側辺４４に沿って配列されることで、上記２つの座板４０は上記板体５１の表面に設置され、且つ、対を成す各係合素子５２のフック５３の間隔は、側辺４４の頂縁位置に嵌合できる程度に該側辺４４の幅より小さくなっていることで、上記板体５１を上記２つの座板４０の下面に定位できることを特徴とする請求項４記載の清掃裝置の交換可能なモップを提供する。
【００１９】
この構成によれば、板体５１の表面に対を成して形成されている係合素子５２のフック５３の間隔は、座板４０の側辺４４の頂縁位置に嵌合できる程度に該側辺４４の幅より小さくなっている。これによって、第１清掃装置５０の板体５１を２つの座板４０の下面の所定位置へ正確に定位させることができる。
【００２０】
請求項６記載の考案は、上記各係合素子５２は、それぞれ、弾性を有するプラスチックス材料で形成され、且つ、上記各フック５３の頂部は、それぞれ、上記板体５１の中央方向に向くと共に下向きに傾斜した傾斜部５６を有し、上記複数の係合素子５２と上記２つの座板４０の各側辺４４が嵌合したとき、該側辺４４の底縁が上記各係合素子５２の前記傾斜部５６を押圧し、且つ上記複数の係合素子５２のフック５３は、上記側辺４４と前記傾斜部５６が互いに押し合う推力による湾曲によって、上記２つの座板４０の側辺４４の頂縁へ嵌入されることを特徴とする請求項５記載の清掃裝置の交換可能なモップを提供する。
【００２１】
この構成によれば、板体５１の表面に形成された複数の係合素子５２は弾性を有するプラスチックス材料で形成されている。従って、各係合素子５２のフック５３は、２つの座板４０の側辺４４と傾斜部５６が互いに押し合うような力によって弾性的に開くので、フック５３を２つの座板４０の側辺４４の頂縁へ容易に嵌入させることができる。
【００２２】
請求項７記載の考案は、上記第１清掃裝置５０の清掃素子５４は、軟性纖維の材質又は布地によって作成され、上記板体５１の嵌合部５５に嵌め込まれて固定されることで、上記清掃素子５４を上記板体５１の底面に装着することを特徴とする請求項１、３、４、５又は６記載の清掃裝置の交換可能なモップを提供する。
【００２３】
この構成によれば、第１清掃裝置５０の清掃素子５４は、軟性纖維の材質又は布地によって作成されていて、板体５１の嵌合部５５に固定されている。これによって、清掃素子５４を板体５１の底面に固定して装着することができるので、清掃素子５４の材質の効果と清掃素子５４の安定的な取付け効果とが相俟って、清掃効果をさらに向上させることができる。
【００２４】
請求項８記載の考案は、上記第２清掃裝置７０は、定位板７１と、該定位板７１の下面に設置された清掃コロジオン７３と、前記定位板７１の表面に設置された複数の係合素子７２とを備え、上記２つの座板４０は、前記複数の係合素子７２と対応する位置に複数の組立孔４２を備え、前記複数の係合素子７２が、それぞれ、前記複数の組立孔４２に係合することにより、上記第２清掃裝置７０の前記定位板７１が、上記２つの座板４０の下面に組み立てられることを特徴とする請求項２記載の清掃裝置の交換可能なモップを提供する。
【００２５】
この構成によれば、第２清掃裝置７０は、清掃素子として清掃コロジオン７３を備えていて、定位板７１の表面に形成された複数の係合素子７２が、それぞれ、座板４０に形成された複数の組立孔４２に係合するように構成されている。これにより、第２清掃裝置７０の定位板７１を２つの座板４０の下面に容易に組み立てることができる。
【００２６】
請求項９記載の考案は、上記複数の係合素子７２は、略Ｌ形のフック形体を呈し、且つ、上記２つの座板４０に形成された複数の組立孔４２は、上記複数の係合素子７２に挿入可能な孔が形成され、上記複数の係合素子７２が、それぞれ、前記複数の組立孔４２に挿入されて孔縁に嵌合されることにより、上記第２清掃装置７０の上記定位板７１が上記２つの座板４０の下面に組み立てられることを特徴とする請求項８記載の清掃裝置の交換可能なモップを提供する。
【００２７】
この構成によれば、定位板７１の表面に形成された係合素子７２は略Ｌ形のフック形体を呈している。従って、座板４０の組立孔４２に係合素子７２を挿入したときには、該係合素子７２のフック形体が組立孔４２の孔に縁に強固に嵌合される。これによって、第２清掃装置７０の定位板７１は２つの座板４０の下面に緩みなく組み立てることができる。
【００２８】
請求項１０記載の考案は、上記第２清掃裝置７０Ｂは、定位板７１Ｂ、該定位板７１Ｂの下面に設置される清掃コロジオン７３Ｂ、及び、前記定位板７１Ｂの表面に設置される第２粘着ピース７５Ｂを備え、且つ、上記２つの座板４０Ｂの底面には第１粘着ピース４５Ｂが設置され、前記第１粘着ピース４５Ｂと前記第２粘着ピース７２Ｂが互に貼り合わされて結合されることにより、上記第２清掃裝置７０Ｂの前記定位板７１Ｂが上記２つの座板４０Ｂの底面に定位されることを特徴とする請求項２記載の清掃裝置の交換可能なモップを提供する。
【００２９】
この構成によれば、２つの座板４０Ｂの底面には第１粘着ピース４５Ｂが設置され、且つ、清掃コロジオン７３Ｂを備えた第２清掃裝置７０Ｂには第２粘着ピース７５Ｂが設置されている。従って、第１粘着ピース４５Ｂと第２粘着ピース７２Ｂとを貼り合わせることにより、第２清掃裝置７０Ｂを２つの座板４０Ｂの底面に強固に取り付けることができる。また、第１粘着ピース４５Ｂと第２粘着ピース７２Ｂとの接着を開放すれば、２つの座板４０Ｂの底面から第２清掃裝置７０Ｂを容易に離脱させることができる。
【考案の効果】
【００３０】
請求項１記載の考案は、第１清掃装置に形成された係合素子のフックの間隔が、座板の両側辺の幅より若干小さくなっているので、該フックを座板の両側の側辺に嵌合させることにより、第１清掃裝置を座板の底面に強固且つ交換可能に取り付けることができる。
【００３１】
請求項２記載の考案は、第２清掃装置に形成された係合素子を、２つの座板に形成された組立孔に係合させることにより、定位板を２つの座板の底面に定位させることができるので、２つの座板の底面に対して第２清掃裝置を交換可能に取り付けることができる。
【００３２】
請求項３記載の考案は、第１清掃装置又は第２清掃装置は、ピン軸を中心としてフレームブラケットとの相対挾み角を可変することができるので、請求項１又は２記載の考案の効果に加えて、清掃素子又は清掃コロジオンを常に床面に密着させながら清掃作業を行うことが可能となるので、清掃効果を一段と向上させることができる。
【００３３】
請求項４記載の考案は、２つの座板には、複数の係合素子のそれぞれと対応する位置に複数の保持孔が設けられているので、請求項１、２、又は３記載の考案の効果に加えて、第１清掃装置の係合素子を２つの座板の保持孔に係合させることにより、第１清掃装置をより安定的に２つの座板に固定させることができる。
【００３４】
請求項５記載の考案は、板体の表面に対を成して形成されている係合素子のフック間隔は、座板の側辺の頂縁位置に嵌合できる程度に側辺の幅より小さくなっているので、請求項４記載の考案の効果に加えて、第１清掃装置の板体を２つの座板の下面の所定位置へ正確に定位させることができる。
【００３５】
請求項６記載の考案は、複数の係合素子は弾性を有するプラスチックス材料で形成されているため、各係合素子のフック間隔が２つの座板の側辺に対して弾性的に開くので、請求項５記載の考案の効果に加えて、係合素子のフックを２つの座板の側辺の頂縁へ容易に嵌入させることができる。
【００３６】
請求項７記載の考案は、第１清掃裝置の清掃素子は、軟性纖維の材質又は布地によって作成されていて、板体の嵌合部に固定されているので、請求項１、３、４、５又は６記載の効果に加えて、清掃素子を板体の底面に固定して装着することができるため、清掃効果をさらに向上させることができる。
【００３７】
請求項８記載の考案は、複数の係合素子が、それぞれ、座板に形成された複数の組立孔に係合するように構成されているので、請求項２記載の効果に加えて、第２清掃裝置の定位板を２つの座板の下面に容易に組み立てることができる。
【００３８】
請求項９記載の考案は、座板の組立孔に係合素子を挿入したときには、該係合素子のフック形体が組立孔の孔に縁に強固に嵌合されるので、請求項８記載の効果に加えて、第２清掃装置の定位板を２つの座板の下面に緩みなく組み立てることができる。
【００３９】
請求項１０記載の考案は、座板の底面には第１粘着ピースが設置され、第２清掃裝置には第２粘着ピースが設置されているので、請求項２記載の考案の効果に加えて、座板の底面の第１粘着ピースと、第２清掃裝置の第２粘着ピースとを貼り合わせることにより第２清掃裝置を２つの座板の底面に強固に取り付けることができる。また、第１粘着ピースと第２粘着ピースとの接着を開放すれば、２つの座板の底面から第２清掃裝置を容易に離脱させることができる。
【図面の簡単な説明】
【００４０】
【図１】本考案の実施例１に係る第１清掃装置と、該第１清掃装置を取り付けて操作するためのモップ操作手段とからなるモップの分解図。
【図２】本考案の実施例１に係る第２清掃装置と、該第２清掃装置を取り付けて操作するためのモップ操作手段とからなるモップの分解図。
【図３】図１に示す第１清掃装置とモップ操作手段とを組み合わせたモップの組立図。
【図４】図３に示すモップを側面から見た側面図。
【図５】図１に示す清掃装置の分解図。
【図６】本考案の実施例２に係る第１清掃装置とモップ操作手段とを組み合わせたモップの組立図。
【図７】本考案の実施例２に係る第２清掃装置とモップ操作手段とを組み合わせたモップの組立図。
【図８】図６に示すモップの使用状態を示す側面図。
【図９】本考案の実施例３に係る第１清掃装置と、該第１清掃装置を取り付けて操作するためのモップ操作手段とからなるモップの分解図。
【図１０】本考案の実施例３に係る第２清掃装置と、該第２清掃装置を取り付けて操作するためのモップ操作手段とからなるモップの分解図。
【考案を実施するための形態】
【００４１】
本考案は、簡単且つ迅速に清掃素子を着脱することができ、且つ、異なる床板の種類に対応して清掃装置を容易に交換できるようなモップを実現するという目的を達成するために、必要に応じて清掃裝置を任意に交換することが可能なモップであって、把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段と、板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、前記フック５３が前記２つの座板４０の辺縁に嵌合して、前記板体５１を前記２つの座板４０の底面に定位させることで、前記２つの座板４０の底面に前記第１清掃裝置５０が交換可能に取り付けられることを特徴とする清掃装置の交換可能なモップを構成したことによって実現した。
【００４２】
先ず、図１及び図２に示すモップ操作手段と清掃装置の分解図に基づいて、本考案に係る清掃装置の交換可能なモップの全体構成について概略的に説明する。図１に示すように、本考案に係る清掃装置の交換可能なモップは、モップ操作手段１と第１清掃装置５０とによって構成されている。モップ操作手段１は、把持棒１０と、該把持棒１０の底端に取り付けられたフレームブラケット２０と、該フレームブラケット２０の底部の二端と２つの座板４０の各表面との間にそれぞれ取り付けられた２つの接続部材３０と、左右対象であって且つ遥動可能に、前記２つの接続部材３０を介してフレームブラケットの両側底部に設けられた２つの座板４０とを備えている。
【００４３】
一方、平板状の第１清掃装置５０は、板体５１の底面に清掃素子５４を付設し、該板体５１の表面には複数の係合素子５２が設けられ、各係合素子５２はそれぞれフック５３を具備している。これによって、各係合素子２及び各フック５３が前記２つの座板４０の辺縁と嵌合することにより、第１清掃装置５０の板体５１を前記２つの座板４０の底面に密着させて定位置に固定させることができる。従って、第１清掃装置５０をモップ操作手段１の２つの座板４０の底面に容易に組み立てることが可能となる。
【００４４】
また、図２に示すように、２つの座板４０の底面には、交換可能に長條状の第２清掃装置７０を取り付けることもできる。すなわち、長條状の第２清掃装置７０は、定位板７１の底面に、長條状のコロジオン材料を用いた清掃コロジオン７３を付設している。さらに、第２清掃装置７０の定位板７１の表面には複数の係合素子７２が付設されているので、これらの係合素子７２によって、第２清掃装置７０の定位板７１を前記２つの座板４０に固定することができる。これにより、第２清掃装置７０を、モップ操作手段の２つの座板４０の底面に組み立てることが可能となる。以上のような構造により、ユーザは、清掃する床板の種類に応じて、図１に示すような平板状の第１清掃装置５０、あるいは、図２に示すような長條状の第２清掃装置７０の何れかを選択し、共通に使用することが可能なモップ操作手段１の２つの座板４０の底面に組み立てることができる。以下、好適な実施例の幾つかについて、図１乃至図１０を参照しながら詳細に説明する。
【実施例１】
【００４５】
図１は、本考案の実施例１に係る第１清掃装置と、該第１清掃装置を取り付けて操作するためのモップ操作手段とからなるモップの分解図である。また、図２は、本考案の実施例１に係る第２清掃装置と、該第２清掃装置を取り付けて操作するためのモップ操作手段とからなるモップの分解図である。
【００４６】
図１及び図２に示すように、本考案に係る清掃装置の交換可能なモップの主要な要素は、モップ操作手段１と第１清掃装置５０又は第１清掃装置７０とによって構成されている。モップ操作手段１は、把持棒１０と、該把持棒１０の底部に設置されていて、略逆三角形の構造を有するフレームブラケット２０と、フレームブラケット２０の底部の両側にそれぞれ接続部材３０を介して揺動可能に配置された２つの座板４０と、によって構成されている。ここで、フレームブラケット２０は、その頂端部の中央が把持棒１０の底端に接続され、且つその底部の両側がそれぞれ接続部２１を介して接続部材３０に接続されている。そして、２つの接続部材３０の他端がそれぞれ２つの座板４０の表面に接続されている。これによって、フレームブラケット２０の底部の両側に対して２つの座板４０を揺動可能に組み立てることができる。
【００４７】
また、把持棒１０のほぼ中央部分には水絞り機構６０が稼動自在に設置されている。この水絞り機構６０はひき棒６１を備えていて、該ひき棒６１の一端が把持棒１０の中央部部に稼動自在に接続され、該ひき棒６１の他端には取っ手６２が設けられている。従って、ユーザが手でひき棒６１を操作すると取っ手６２を駆動させることができる。
【００４８】
すなわち、連接棒６３の一端がひき棒６１の中段位置に接続され、連接棒６３の他端がフレームブラケット２０を貫通して、２つの座板４０の内側を接続する接続座４１に接続されている。言い換えると、接続座４１の両側はそれぞれ２つの座板４０の内側端と互いに接続されているので、ユーザがひき棒６１を引き動かしたときに、連接棒６３を介して接続座４１が上向きに移動する。これによって、２つの座板４０の内側端と接続座４１の接続部分が上向きに移動するので、２つの座板４０が互いに挟むように水絞り動作を行う。従って、２つの座板４０の下部に清掃素子５４を置くことにより、２つの座板４０の挟み力によって清掃素子５４の水分を絞りとることができる。尚、図１に示すモップ操作手段１と図２に示すモップ操作手段１は全く同じ構造である。
【００４９】
ここで、本考案の主な特徴は、２つの座板４０の底面において、図１に示すような第１清掃装置５０及び図２に示すような第２清掃装置７０の交換が容易にできる点である、尚、図１に示す第１清掃装置５０は平板式の清掃素子であって大面積の床板の清掃を行う用途に使用され、図２に示す第２清掃装置７０は従来から存在するコロジオン式モップに類似した長條状のコロジオン清掃素子である。以下、図１に示す清掃装置５０及び第２清掃装置７０の構造について詳細に説明する。
【００５０】
図３は、図１に示す第１清掃装置とモップ操作手段とを組み合わせたモップの組立図であり、図４は、図３に示すモップを側面から見た側面図であり、また、図５は、図１に示す清掃装置の分解図である。すなわち、図１、図３、図４に示すように、本考案に使用される第１清掃装置５０は略長方形の板片状の板体５１を備え、該板体５１の裏面に清掃素子５４を付設している。
【００５１】
また、図５に示すように、第１清掃装置５０の板体５１の表面には、複数の係合素子５２が設けられ、各係合素子５２にはそれぞれフック５３が具備されていて、図１に示す２つの座板４０の辺縁と嵌合できるようになっている。これによって、図３に示すように、複数の係合素子５２及びフック５３の嵌合力によって第１清掃装置５０の板体５１を２つの座板４０底面の所定位置に固定させることができる。尚、板体５１及び複数の係合素子５２は、弾性を有するプラスチックス材料を採用してプラスチックス射出成形方式で一体的に成形されている。そのため、板体５１及び複数の係合素子５２は湾曲できる弾性力を有しているので、２つの座板４０の辺縁を容易に嵌合することができる。
【００５２】
また、図１乃至図４に示すように、２つの座板４０にはそれぞれ互いに平行な側辺４４が形成されている。さらに、図１、図５に示すように、第１清掃装置５０の板体５１の表面に形成された複数の係合素子５２は、それぞれ２個の係合素子５２が互いに対をなし、且つ、第１清掃装置５０の板体５１の両側に沿って対称的に、座板４０の両側の側辺４４に沿って配列されているので、第１清掃装置５０を座板４０の裏面に設置することができる。また、図４の側面図に示すように、それぞれ相対する係合素子５２のフック５３の間の距離は、座板４０の両側の側辺４４の幅より若干小さくなっている。そのため、相対する係合素子５２は、２つの座板４０の両側の側辺４４に位置する頂縁の位置へ合わせることができるので、第１清掃装置５０の板体５１を２つの座板４０の下面へ正確に定位することができる。
【００５３】
また、複数の係合素子５２が容易に座板４０の側辺４４の頂縁へ嵌合されるため、図１、図５に示すように、複数の係合素子５２のフック５３の表面は、それぞれ、第１清掃装置５０の板体５１の中央部に向き、且つ、下向きに傾斜した傾斜部５６を備えている。該傾斜部５６の作用は、ユーザが第１清掃装置５０を座板４０の底面に組み立てるときに、座板４０の両側の側辺４４をそれぞれの係合素子５２の内側縁の上方に合わせる。しかる後に、直接、把持棒１０を持って、２つの座板４０を下向きに押しつければ、２つの座板４０の両側の側辺４４の縁に対して、それぞれの係合素子５２の傾斜角５６を頂上におくことができる。
【００５４】
このとき、各係合素子５２は弯曲できる弾性を有しているので、傾斜部５６の頂上に加えられた座板４０の圧力によって、座板４０の水平方向の分力で傾斜部５６の頂上を押し広げる作用が加えられる。従って、複数の係合素子５２の頂部が外向きに弯曲し、複数のフック５３を２つの座板４０の側辺４４の頂縁に嵌入させるので、最終的に、図３、図４に示す状態のように、第１清掃装置５０の板体５１を２つの座板４０の底面に定位させることができる。
【００５５】
また、ユーザが第１清掃装置５０を２つの座板４０から取り外すときは、複数の係合素子５２のフック５３を外向きに引き開いて該フック５３と座板４０辺縁とを脱離させ、第１清掃装置５０の板体５１を座板４０から分離させる。
【００５６】
その他、第１清掃装置５０の板体５１を２つの座板４０の底面に組み立てるとき、第１清掃装置５０が容易に滑らないように、２つの座板４０と複数の係合素子５２の対応する位置において、座板４０の側辺４４に複数の保持孔４３を設置しておく。尚、複数の保持孔４３の幅はフック５３の幅より大きくしておく。このため、複数の係合素子５２のフック５３が、２つの座板４０の側辺４４の頂縁に嵌合したとき、複数のフック５３を複数の保持孔４３の中に嵌入させることができる。さらに、複数のフック５３が複数の保持孔４３の制限を受けるため、座板４０の側辺４４に沿う直線位置の移動ができなくなるため、係合素子５２と座板４０の嵌合位置の安定性をさらに増加させることができる。
【００５７】
また、本考案の実施例１で示した第１清掃装置５０に用いられる清掃素子５４は、軟性纖維又は布地材料で作成され、且つ、清掃素子５４の面積は板体５１の面積よりやや大きい。さらに、該清掃素子５４の材質は柔軟性を有し、且つ、清掃素子５４が水分を吸收して床板と接触した際には、効果的に床板面の塵埃・汚垢を拭き取るので、効果的に床板面を清掃することができる。
【００５８】
このようにして、清掃素子５４は交換可能に板体５１上に設置されている。すなわち、図５に示すように、清掃素子５４の表面には嵌合部５５が設置されていて、板体５１の辺縁に嵌合できるようになっているので、該清掃素子５４は、清掃装置５０の板体５１の底面に対して着脱自在に設置することが可能である。
【００５９】
従って、座板４０から図１に示す清掃装置５０を取り外した後に、図２に示すように、座板４０の底面に第２清掃装置７０を取付け交換することができる。すなわち、図２に示すように、第２清掃装置７０は、２つの座板４０の幅とほぼ同じ幅の長方形を呈していて、定位板７１と、該定位板７１の下方に設置されていてほぼ長條状を呈する清掃コロジオン７３と、該定位板７１の表面に設置された複数の係合素子７２とを備えている。また、第２清掃装置７０の複数の係合素子７２と対応する座板４０の位置に複数の組立孔４２が設置されている。このような構成により、第２清掃装置７０の係合素子７２を座板４０の組立孔４２に嵌合させて、第２清掃装置７０の定位板７１を座板４０の下面に組み立てることができる。
【００６０】
このとき、複数の係合素子７２はほぼＬ形のフック体を呈し、且つ、座板４０に形成された組立孔４２の幅は係合素子７２よりも大きくなっていて、該係合素子７２を挿入できるように長方形の孔になっている。これによって、複数の係合素子７２は、それぞれの組立孔４２の底面から貫通した後に各組立孔４２の孔縁に嵌合することができるので、第２清掃装置７０の定位板７１を２つの座板４０の下面に安定的に組み立てることができる。
【００６１】
上述した構造により、本考案の第１実施例に係るモップは、ユーザが清掃する床板の種類や使用用途に応じて適宜に選択して、第１清掃装置５０又は第２清掃装置７０をモップ操作手段１の座板４０の裏面に装着することができる。従って、モップ１を異なる床板で使用する場合に有効に応用することができるので、モップの使用範囲を広げることが可能となるため、モップの使い勝手が一段と向上する。
【実施例２】
【００６２】
図６は、本考案の実施例２に係る第１清掃装置とモップ操作手段とを組み合わせたモップの組立図であり、図７は、本考案の実施例２に係る第２清掃装置とモップ操作手段とを組み合わせたモップの組立図であり、また、図８は、図６に示すモップの使用状態を示す側面図である。すなわち、図６及び図７に示すように、本考案の第２実施例に係るモップは、モップ操作手段１Ａに把持棒１０Ａを有し、該把持棒１０Ａの底部にフレームブラケット２０Ａを設置し、該フレームブラケット２０Ａの下方の両側にはそれぞれ接続部材３０Ａを介して各座板４０Ａを付設している。また、２つの座板４０Ａの底面には、図６に示すような平板状の清掃装置５０Ａ、又は図７に示すような長条状の第２清掃装置７０Ａを選択的に装着することができる。
【００６３】
尚、図６、図７に示す実施例２における把持棒１０Ａ、フレームブラケット２０Ａ、座板４０Ａ、清掃装置５０Ａ及び第２清掃装置７０Ａの基本的な構造は、前述の実施例１とほぼ同じであるので、重複する説明は省略する。実施例２におけるモップの主たる特徴は、フレームブラケット２０Ａと座板４０Ａとの間に弯曲可能な接続部材３０Ａを用いて両者を接続している点である、このため、本考案の実施例２のモップ操作手段１Ａは、図８に示すように、使用時にモップ操作手段１Ａと床板との間の傾斜角度に応じて操作角度を変化させることができる。これによって、座板４０Ａ及び清掃装置７０Ａとフレームブラケット２０Ａと把持棒１０Ａの相対角度を適宜可変して調整することができるので、第１清掃装置５０Ａ或いは第２清掃装置７０Ａの使用時においては、常に床板に平坦な状態に第１清掃装置５０Ａ或いは第２清掃装置７０Ａを保持することができるので、清掃效果がさらに向上する。
【００６４】
すなわち、図５及び図７に示すように、フレームブラケット２０Ａの下面両側の接続部材３０Ａは、それぞれ、第１接続ピース３１Ａ及び第２接続ピース３２Ａから構成されている。そして、第１接続ピース３１Ａの頂端はフレームブラケット２０Ａの底部と接続され、第１接続ピース３１Ａの底部はピン軸３３Ａによって第２接続ピース３２Ａと接続されている。さらに、第１接続ピース３１Ａ、第２接続ピース３２Ａがそのピン軸３３Ａを中心とし相対的に回転するように構成されている。このとき、第２接続ピース３２Ａの底部は２つの座板４０Ａの表面に接続され、第１接続ピース３１Ａ、第２接続ピース３２Ａによって、２つの座板４０Ａを揺動可能にフレームブラケット２０Ａの両側の底部に接続されている。
【００６５】
また、図８に示すように、第１接続ピース３１Ａ、第２接続ピース３２Ａの接続に用いるピン軸３３Ａの方向は、フレームブラケット２０Ａ及び座板４０Ａの配列方向に平行であるので、２つの座板４０Ａは２つのピン軸３３Ａを中心として回転揺動することができる、このとき、モップ操作手段１Ａの使用時に、座板４０Ａとフレームブラケット２０Ａと把持捧１０Ａとの間の角度は自在に可変することができるので、第１清掃装置５０Ａの使用時に、モップ操作手段１Ａと床面の傾斜角度をよりどころとして、第１清掃装置５０Ａの方向を変えることができるため、常に、第１清掃装置５０Ａと床面とを平坦な状態に保持することができる。図７に示すような第２清掃装置７０Ａについても、同様な作用効果を呈することができる。
【実施例３】
【００６６】
図９は、本考案の実施例３に係る第１清掃装置と、該第１清掃装置を取り付けて操作するためのモップ操作手段とからなるモップの分解図であり、図１０は、本考案の実施例３に係る第２清掃装置と、該第２清掃装置を取り付けて操作するためのモップ操作手段とからなるモップの分解図である。すなわち、図９及び図１０に示す本考案の実施例３のモップは、第２清掃装置とモップの座板との結合方式に対して変化を加えたものである。
【００６７】
図９又は図１０に示すように、実施例３のモップ操作手段１Ｂは、把持棒１０Ｂ及びフレームブラケット２０Ｂを具備し、該フレームブラケット２０Ｂの下方の両側にはそれぞれ座板４０Ｂが付設され、該座板４０Ｂの底面には選択的に平板状の清掃装置５０Ｂ、又は長条状の第２清掃装置７０Ｂが設置される。
【００６８】
実施例３の主な特徴は、図１０に示すように、２つの座板４０Ｂの表面にそれぞれ第１粘着ピース４５Ｂを設置し、第２清掃装置７０Ｂの表面には定位板７１Ｂを設けている。さらに、定位板７１Ｂの底面には清掃コロジオン７３Ｂを取り付けている。また、第２清掃装置７０Ｂの表面に、第１粘着ピース４５Ｂと互いに結合する第２粘着ピース７２Ｂを設けている。これにより、第１粘着ピース４５Ｂと第２粘着ピース７２Ｂとが互いに貼り合わされるので、第２清掃装置７０Ｂを着脱可能に２つの座板４０Ｂの底面に取り付けることができる。
【００６９】
なお、本考案は、本考案の精神を逸脱しない限り種々の改変を為すことができ、そして、本考案が該改変されたものに及ぶことは当然である。
【産業上の利用可能性】
【００７０】
本考案の清掃装置の交換可能なモップは、床板の種類に応じて清掃装置を簡単に取り替えることができるので、一般家庭のフロアに限らず、事務所や公共施設におけるフロアの清掃に有効に利用することができる。
【符号の説明】
【００７１】
１、１Ａ、１Ｂ  モップ操作手段
１０、１０Ａ、１０Ｂ    把持棒
２０、２０Ａ、２０Ｂ  フレームブラケット
２１  接続部
３０、３０Ａ  接続部材
３１Ａ  第１接続ピース
３２Ａ  第２接続ピース
３３Ａ  ピン軸
４０、４０Ａ、４０Ｂ  座板
４１  接続座
４２  組立孔
４３  保持孔
４４  側辺
４５Ｂ  第１粘着ピース
５０、５０Ａ、５０Ｂ  第１清掃装置
５１  板体
５２  係合素子
５３  フック
５４  清掃素子
５５  嵌合部
５６  傾斜部
６０  水絞り機構
６１  引き棒
６２  取っ手
６３  連接棒
７０、７０Ａ、７０Ｂ  第２清掃装置
７１、７１Ｂ定位板
７２  嵌着素子
７２Ｂ  第２粘着ピース
７３、７３Ｂ  清掃コロジオン
【図１】
0003160495.tif 000003
【図２】
0003160495.tif 000004
【図３】
0003160495.tif 000005
【図４】
0003160495.tif 000006
【図５】
0003160495.tif 000007
【図６】
0003160495.tif 000008
【図７】
0003160495.tif 000009
【図８】
0003160495.tif 000010
【図９】
0003160495.tif 000011
【図１０】
0003160495.tif 000012
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
必要に応じて清掃装置を任意に交換することが可能なモップであって、
把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段１と、
板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、
前記フック５３が前記２つの座板４０の辺縁に嵌合して、前記板体５１を前記２つの座板４０の底面に定位させることで、前記２つの座板４０の底面に前記第１清掃装置５０が交換可能に取り付けられることを特徴とする清掃装置の交換可能なモップ。
【請求項２】
必要に応じて清掃装置を任意に交換することが可能なモップであって、
把持棒１０と、該把持棒１０の底端に設置されたフレームブラケット２０と、複数の組立孔４２を有して左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０と、によって構成されたモップ操作手段１と、
定位板７１と、該定位板７１の底面に付設された清掃コロジオン７３と、該定位板７１の表面に設けられた複数の係合素子７２と、によって構成された第２清掃装置７０とを備え、
前記係合素子７２が前記２つの座板４０の前記組立孔４２に係合して、前記定位板７１を前記２つの座板４０の底面に定位させることで、前記２つの座板４０の底面に前記第２清掃装置７０が交換可能に取り付けられることを特徴とする清掃装置の交換可能なモップ。
【請求項３】
上記２つの接続部材３０Ａは、第１接続ピース３１Ａと第２接続ピース３２Ａとを具備し、前記第１接続ピース３１Ａの頂端はフレームブラケット２０Ａの底部に接続され、前記第１接続ピース３１Ａの底端は前記第２接続ピース３２Ａと接続され、且つ、前記第２接続ピース３２Ａの底端は上記２つの座板４０Ａの表面に接続され、前記第２接続ピース３２Ａの頂端は前記第１接続ピース３１Ａに接続され、
さらに、ピン軸３３Ａが、前記第１接続ピース３１Ａと前記第２接続ピース３２Ａのそれぞれの接続箇所に設けられ、且つ、該第１接続ピース３１Ａと該第２接続ピース３２Ａが前記ピン軸３３Ａを中心として一括して接続され、さらに、前記ピン軸３３Ａは前記２つの座板４０Ａの配列方行と平行して配列されており、
上記第１清掃装置５０又は上記第２清掃装置７０は、前記第１接続ピース３１Ａ及び前記第２接続ピース３２Ａの作用により、前記ピン軸３３Ａを中心として旋回角度を可変し、前記２つの座板４０Ａとともに、該ピン軸３３Ａを中心として前記フレームブラケット２０Ａとの相対挾み角を可変することを特徴とする請求項２記載の清掃装置の交換可能なモップ。
【請求項４】
上記２つの座板４０は、上記複数の係合素子５２のそれぞれと対応する位置に複数の保持孔４３を設け、該複数の保持孔４３は上記複数の係合素子５２のフック５３に嵌合することを特徴とする請求項１、２又は３記載の清掃装置の交換可能なモップ。
【請求項５】
上記２つの座板４０は、それぞれ、互いに平行する側辺４４を有し、上記清掃装置５０
の複数の係合素子５２は、各２個の係合素子５２が互いに対を成して対称的に前記側辺４４に沿って配列されることで、上記２つの座板４０は上記板体５１の表面に設置され、且つ、対を成す各係合素子５２のフック５３の間隔は、側辺４４の頂縁位置に嵌合できる程度に該側辺４４の幅より小さくなっていることで、上記板体５１を上記２つの座板４０の下面に定位できることを特徴とする請求項１記載の清掃装置の交換可能なモップ。
【請求項６】
上記各係合素子５２は、それぞれ、弾性を有するプラスチックス材料で形成され、且つ、上記各フック５３の頂部は、それぞれ、上記板体５１の中央方向に向くと共に下向きに傾斜した傾斜部５６を有し、上記複数の係合素子５２と上記２つの座板４０の各側辺４４が嵌合したとき、該側辺４４の底縁が上記各係合素子５２の前記傾斜部５６を押圧し、且つ上記複数の係合素子５２のフック５３は、上記側辺４４と前記傾斜部５６が互いに押し合う推力による湾曲によって、上記２つの座板４０の側辺４４の頂縁へ嵌入されることを特徴とする請求項１記載の清掃装置の交換可能なモップ。
【請求項７】
上記第１清掃装置５０の清掃素子５４は、軟性纖維の材質又は布地によって作成され、上記板体５１の嵌合部５５に嵌め込まれて固定されることで、上記清掃素子５４を上記板体５１の底面に装着することを特徴とする請求項１記載の清掃装置の交換可能なモップ。
【請求項８】
上記第２清掃装置７０は、定位板７１と、該定位板７１の下面に設置された清掃コロジオン７３と、前記定位板７１の表面に設置された複数の係合素子７２とを備え
上記２つの座板４０は、前記複数の係合素子７２と対応する位置に複数の組立孔４２を備え、
前記複数の係合素子７２が、それぞれ、前記複数の組立孔４２に係合することにより、上記第２清掃装置７０の前記定位板７１が、上記２つの座板４０の下面に組み立てられることを特徴とする請求項２記載の清掃装置の交換可能なモップ。
【請求項９】
上記複数の係合素子７２は、略Ｌ形のフック形体を呈し、且つ、上記２つの座板４０に形成された複数の組立孔４２は、上記複数の係合素子７２に挿入可能な孔が形成され、
上記複数の係合素子７２が、それぞれ、前記複数の組立孔４２に挿入されて孔縁に嵌合されることにより、上記第２清掃装置７０の上記定位板７１が上記２つの座板４０の下面に組み立てられることを特徴とする請求項８記載の清掃装置の交換可能なモップ。
【請求項１０】
上記第２清掃装置７０は、定位板７１Ｂ、該定位板７１Ｂの下面に設置される清掃コロジオン７３Ｂ、及び、前記定位板７１Ｂの表面に設置される第２粘着ピース７５Ｂを備え、且つ、上記２つの座板４０Ｂの底面には第１粘着ピース４５Ｂが設置され、
前記第１粘着ピース４５Ｂと第２粘着ピース７２Ｂが互に貼り合わされて結合されることにより、上記第２清掃装置７０の前記定位板７１Ｂが上記２つの座板４０Ｂの底面に定位されることを特徴とする請求項２記載の清掃装置の交換可能なモップ。
【手続補正３】
【補正対象書類名】明細書
【補正対象項目名】００１０
【補正方法】変更
【補正の内容】
【００１０】
本考案は上記目的を達成するために提案されたものであり、請求項１記載の考案は、必要に応じて清掃装置を任意に交換することが可能なモップであって、把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段１と、板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、前記フック５３が前記２つの座板４０の辺縁に嵌合して、前記板体５１を前記２つの座板４０の底面に定位させることで、前記２つの座板４０の底面に前記第１清掃装置５０が交換可能に取り付けられることを特徴とする清掃装置の交換可能なモップを提供する。
【手続補正４】
【補正対象書類名】明細書
【補正対象項目名】００１１
【補正方法】変更
【補正の内容】
【００１１】
この構成によれば、第１清掃装置５０の板体５１の表面に形成された複数の係合素子５２のフック５３が、モップ操作手段１の下部に取り付けられた２つの座板４０の辺縁に嵌合して、板体５１を２つの座板４０の底面に定位させることにより、２つの座板４０の底面に対して、第１清掃装置５０を交換可能に取り付けることができる。
【手続補正５】
【補正対象書類名】明細書
【補正対象項目名】００１２
【補正方法】変更
【補正の内容】
【００１２】
請求項２記載の考案は、必要に応じて清掃装置を任意に交換することが可能なモップであって、把持棒１０と、該把持棒１０の底端に設置されたフレームブラケット２０と、複数の組立孔４２を有して左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０と、によって構成されたモップ操作手段１と、定位板７１と、該定位板７１の底面に付設された清掃コロジオン７３と、該定位板７１の表面に設けられた複数の係合素子７２と、によって構成された第２清掃装置７０とを備え、前記係合素子７２が前記２つの座板４０の組立孔４２に係合して、前記定位板７１を前記２つの座板４０の底面に定位させることで、前記２つの座板４０の底面に前記第２清掃装置７０が交換可能に取り付けられることを特徴とする清掃装置の交換可能なモップを提供する。
【手続補正６】
【補正対象書類名】明細書
【補正対象項目名】００１３
【補正方法】変更
【補正の内容】
【００１３】
この構成によれば、第２清掃装置７０の定位板７１の表面に形成された複数の係合素子７２が、モップ操作手段１の下部に取り付けられた２つの座板４０に形成された組立孔４２に係合して、定位板７１を２つの座板４０の底面に定位させることにより、２つの座
板４０の底面に対して、第２清掃装置７０を交換可能に取り付けることができる。
【手続補正７】
【補正対象書類名】明細書
【補正対象項目名】００１４
【補正方法】変更
【補正の内容】
【００１４】
請求項３記載の考案は、上記２つの接続部材３０Ａは、第１接続ピース３１Ａと第２接続ピース３２Ａとを具備し、前記第１接続ピース３１Ａの頂端はフレームブラケット２０Ａの底部に接続され、前記第１接続ピース３１Ａの底端は前記第２接続ピース３２Ａと接続され、且つ、前記第２接続ピース３２Ａの底端は上記２つの座板４０Ａの表面に接続され、前記第２接続ピース３２Ａの頂端は前記第１接続ピース３１Ａに接続され、さらに、ピン軸３３Ａが、前記第１接続ピース３１Ａと前記第２接続ピース３２Ａのそれぞれの接続箇所に設けられ、且つ、該第１接続ピース３１Ａと該第２接続ピース３２Ａが前記ピン軸３３Ａを中心として一括して接続され、さらに、前記ピン軸３３Ａは前記２つの座板４０Ａの配列方行と平行して配列されており、上記第１清掃装置５０又は上記第２清掃装置７０は、前記第１接続ピース３１Ａ及び前記第２接続ピース３２Ａの作用により、前記ピン軸３３Ａを中心として旋回角度を可変し、前記２つの座板４０Ａとともに、該ピン軸３３Ａを中心として前記フレームブラケット２０Ａとの相対挾み角を可変することを特徴とする請求項２記載の清掃装置の交換可能なモップを提供する。
【手続補正８】
【補正対象書類名】明細書
【補正対象項目名】００１６
【補正方法】変更
【補正の内容】
【００１６】
請求項４記載の考案は、上記２つの座板４０は、上記複数の係合素子５２のそれぞれと対応する位置に複数の保持孔４３を設け、該複数の保持孔４３は上記複数の係合素子５２のフック５３に嵌合することを特徴とする請求項１、２又は３記載の清掃装置の交換可能なモップを提供する。
【手続補正９】
【補正対象書類名】明細書
【補正対象項目名】００１８
【補正方法】変更
【補正の内容】
【００１８】
請求項５記載の考案は、上記２つの座板４０は、それぞれ、互いに平行する側辺４４を有し、上記清掃装置５０の複数の係合素子５２は、各２個の係合素子５２が互いに対を成して対称的に前記側辺４４に沿って配列されることで、上記２つの座板４０は上記板体５１の表面に設置され、且つ、対を成す各係合素子５２のフック５３の間隔は、側辺４４の頂縁位置に嵌合できる程度に該側辺４４の幅より小さくなっていることで、上記板体５１を上記２つの座板４０の下面に定位できることを特徴とする請求項１記載の清掃装置の交換可能なモップを提供する。
【手続補正１０】
【補正対象書類名】明細書
【補正対象項目名】００２０
【補正方法】変更
【補正の内容】
【００２０】
請求項６記載の考案は、上記各係合素子５２は、それぞれ、弾性を有するプラスチックス材料で形成され、且つ、上記各フック５３の頂部は、それぞれ、上記板体５１の中央方向に向くと共に下向きに傾斜した傾斜部５６を有し、上記複数の係合素子５２と上記２つの座板４０の各側辺４４が嵌合したとき、該側辺４４の底縁が上記各係合素子５２の前記傾斜部５６を押圧し、且つ上記複数の係合素子５２のフック５３は、上記側辺４４と前記傾斜部５６が互いに押し合う推力による湾曲によって、上記２つの座板４０の側辺４４の頂縁へ嵌入されることを特徴とする請求項１記載の清掃装置の交換可能なモップを提供する。
【手続補正１１】
【補正対象書類名】明細書
【補正対象項目名】００２２
【補正方法】変更
【補正の内容】
【００２２】
請求項７記載の考案は、上記第１清掃装置５０の清掃素子５４は、軟性纖維の材質又は布地によって作成され、上記板体５１の嵌合部５５に嵌め込まれて固定されることで、上記清掃素子５４を上記板体５１の底面に装着することを特徴とする請求項１記載の清掃装置の交換可能なモップを提供する。
【手続補正１２】
【補正対象書類名】明細書
【補正対象項目名】００２３
【補正方法】変更
【補正の内容】
【００２３】
この構成によれば、第１清掃装置５０の清掃素子５４は、軟性纖維の材質又は布地によって作成されていて、板体５１の嵌合部５５に固定されている。これによって、清掃素子５４を板体５１の底面に固定して装着することができるので、清掃素子５４の材質の効果と清掃素子５４の安定的な取付け効果とが相俟って、清掃効果をさらに向上させることができる。
【手続補正１３】
【補正対象書類名】明細書
【補正対象項目名】００２４
【補正方法】変更
【補正の内容】
【００２４】
請求項８記載の考案は、上記第２清掃装置７０は、定位板７１と、該定位板７１の下面に設置された清掃コロジオン７３と、前記定位板７１の表面に設置された複数の係合素子７２とを備え、上記２つの座板４０は、前記複数の係合素子７２と対応する位置に複数の組立孔４２を備え、前記複数の係合素子７２が、それぞれ、前記複数の組立孔４２に係合することにより、上記第２清掃装置７０の前記定位板７１が、上記２つの座板４０の下面に組み立てられることを特徴とする請求項２記載の清掃装置の交換可能なモップを提供する。
【手続補正１４】
【補正対象書類名】明細書
【補正対象項目名】００２５
【補正方法】変更
【補正の内容】
【００２５】
この構成によれば、第２清掃装置７０は、清掃素子として清掃コロジオン７３を備えていて、定位板７１の表面に形成された複数の係合素子７２が、それぞれ、座板４０に形成された複数の組立孔４２に係合するように構成されている。これにより、第２清掃装置７０の定位板７１を２つの座板４０の下面に容易に組み立てることができる。
【手続補正１５】
【補正対象書類名】明細書
【補正対象項目名】００２６
【補正方法】変更
【補正の内容】
【００２６】
請求項９記載の考案は、上記複数の係合素子７２は、略Ｌ形のフック形体を呈し、且つ、上記２つの座板４０に形成された複数の組立孔４２は、上記複数の係合素子７２に挿入可能な孔が形成され、上記複数の係合素子７２が、それぞれ、前記複数の組立孔４２に挿入されて孔縁に嵌合されることにより、上記第２清掃装置７０の上記定位板７１が上記２つの座板４０の下面に組み立てられることを特徴とする請求項８記載の清掃装置の交換可能なモップを提供する。
【手続補正１６】
【補正対象書類名】明細書
【補正対象項目名】００２８
【補正方法】変更
【補正の内容】
【００２８】
請求項１０記載の考案は、上記第２清掃装置７０は、定位板７１Ｂ、該定位板７１Ｂの下面に設置される清掃コロジオン７３Ｂ、及び、前記定位板７１Ｂの表面に設置される第２粘着ピース７５Ｂを備え、且つ、上記２つの座板４０Ｂの底面には第１粘着ピース４５Ｂが設置され、前記第１粘着ピース４５Ｂと第２粘着ピース７２Ｂが互に貼り合わされて結合されることにより、上記第２清掃装置７０の前記定位板７１Ｂが上記２つの座板４０Ｂの底面に定位されることを特徴とする請求項２記載の清掃装置の交換可能なモップを提供する。
【手続補正１７】
【補正対象書類名】明細書
【補正対象項目名】００２９
【補正方法】変更
【補正の内容】
【００２９】
この構成によれば、２つの座板４０Ｂの底面には第１粘着ピース４５Ｂが設置され、且つ、清掃コロジオン７３Ｂを備えた第２清掃装置７０Ｂには第２粘着ピース７５Ｂが設置されている。従って、第１粘着ピース４５Ｂと第２粘着ピース７２Ｂとを貼り合わせることにより、第２清掃装置７０Ｂを２つの座板４０Ｂの底面に強固に取り付けることができる。また、第１粘着ピース４５Ｂと第２粘着ピース７２Ｂとの接着を開放すれば、２つの座板４０Ｂの底面から第２清掃装置７０Ｂを容易に離脱させることができる。
【手続補正１８】
【補正対象書類名】明細書
【補正対象項目名】００３０
【補正方法】変更
【補正の内容】
【００３０】
請求項１記載の考案は、第１清掃装置に形成された係合素子のフックの間隔が、座板の両側辺の幅より若干小さくなっているので、該フックを座板の両側の側辺に嵌合させることにより、第１清掃装置を座板の底面に強固且つ交換可能に取り付けることができる。
【手続補正１９】
【補正対象書類名】明細書
【補正対象項目名】００３１
【補正方法】変更
【補正の内容】
【００３１】
請求項２記載の考案は、第２清掃装置に形成された係合素子を、２つの座板に形成された組立孔に係合させることにより、定位板を２つの座板の底面に定位させることができるので、２つの座板の底面に対して第２清掃装置を交換可能に取り付けることができる。
【手続補正２０】
【補正対象書類名】明細書
【補正対象項目名】００３６
【補正方法】変更
【補正の内容】
【００３６】
請求項７記載の考案は、第１清掃装置の清掃素子は、軟性纖維の材質又は布地によって作成されていて、板体の嵌合部に固定されているので、請求項１、３、４、５又は６記載の効果に加えて、清掃素子を板体の底面に固定して装着することができるため、清掃効果をさらに向上させることができる。
【手続補正２１】
【補正対象書類名】明細書
【補正対象項目名】００３７
【補正方法】変更
【補正の内容】
【００３７】
請求項８記載の考案は、複数の係合素子が、それぞれ、座板に形成された複数の組立孔
に係合するように構成されているので、請求項２記載の効果に加えて、第２清掃装置の定位板を２つの座板の下面に容易に組み立てることができる。
【手続補正２２】
【補正対象書類名】明細書
【補正対象項目名】００３９
【補正方法】変更
【補正の内容】
【００３９】
請求項１０記載の考案は、座板の底面には第１粘着ピースが設置され、第２清掃装置には第２粘着ピースが設置されているので、請求項２記載の考案の効果に加えて、座板の底面の第１粘着ピースと、第２清掃装置の第２粘着ピースとを貼り合わせることにより第２清掃装置を２つの座板の底面に強固に取り付けることができる。また、第１粘着ピースと第２粘着ピースとの接着を開放すれば、２つの座板の底面から第２清掃装置を容易に離脱させることができる。
【手続補正２３】
【補正対象書類名】明細書
【補正対象項目名】００４１
【補正方法】変更
【補正の内容】
【００４１】
本考案は、簡単且つ迅速に清掃素子を着脱することができ、且つ、異なる床板の種類に対応して清掃装置を容易に交換できるようなモップを実現するという目的を達成するために、必要に応じて清掃装置を任意に交換することが可能なモップであって、把持棒１０と、該把持棒１０の底端に設置されたフレームブラケット２０と、左右対称に配置され、且つ遥動可能に前記フレームブラケット２０の底端の両側に設けられた２つの座板４０と、該２つの座板４０の表面と前記フレームブラケット２０の底部とに両端が接続され、該２つの座板４０を揺動可能にフレームブラケット２０の底部に設置するための２つの接続部材３０とによって構成されたモップ操作手段と、板体５１と、該板体５１の底面に付設された清掃素子５４と、該板体５１の表面に設けられた複数の係合素子５２と、該複数の係合素子５２のそれぞれに付設されたフック５３とによって構成された第１清掃装置５０とを備え、前記フック５３が前記２つの座板４０の辺縁に嵌合して、前記板体５１を前記２つの座板４０の底面に定位させることで、前記２つの座板４０の底面に前記第１清掃装置５０が交換可能に取り付けられることを特徴とする清掃装置の交換可能なモップを構成したことによって実現した。